(57)【特許請求の範囲】
【請求項１】
設置島本体の長手方向に沿って弾球遊技機と該弾球遊技機を正面から見てその左側面に接するように付設される台間サンドとが列設され、前記設置島本体における長手方向の中央部の上部に前記各弾球遊技機に弾球を配給するための補給タンクが配設され、前記設置島本体における長手方向の中央部の下部に起立して前記補給タンクに接続される揚送樋を介し該補給タンクに弾球を供給する揚送装置が配設された弾球遊技機設置島であって、
前記揚送樋は、一条の弾球通路を同一平面に沿って複数条並設して帯板状に形成され、その幅広面が前記設置島本体の長手方向に対し直交状に配置され、前記各弾球遊技機に付設される前記台間サンドとこれに隣接する他の弾球遊技機との間の隙間寸法が前記揚送樋における前記設置島本体の長手方向に沿った幅寸法と一致するようにすると共に、前記揚送樋が前記台間サンドとこれに隣接する他の弾球遊技機との間の隙間に合致して収まるようにし、
前記補給タンクにおける前記設置島本体の短手方向での一側面に前記揚送樋が介入される平面コ字型の縦溝を凹設したことを特徴とする弾球遊技機設置島。
【発明の詳細な説明】
【技術分野】
【０００１】
本発明は、パチンコ遊技機等の弾球遊技機が列設される弾球遊技機設置島に関するものである。
【背景技術】
【０００２】
先に本出願人は、代表的な弾球遊技機であるパチンコ遊技機を用いたパチンコ遊技機設置島を出願した。これは、パチンコ球揚送機構に係るものである。そこで、該パチンコ遊技機設置島について説明すると、該パチンコ遊技機設置島は、設置島本体の両側面にその長手方向に沿って複数台のパチンコ遊技機が列設されている。各パチンコ遊技機には、その一側、すなわちパチンコ遊技機を正面から見てその左側面に接するようにして、遊技者が遊技をする遊技媒体としてのパチンコ球が貸し出される球貸機所謂「台間サンド」が付設されている。一方、設置島本体における長手方向の中央上部に各パチンコ遊技機へパチンコ球を配給するための補給タンクが配設され、その中央下部には各パチンコ遊技機にパチンコ球を循環補給するための補給装置が配設されている。
【０００３】
前記補給タンクからは設置島本体の長手方向の両端側に向かって緩やかに下傾する補給球樋が配設され、該補給球樋を介して各パチンコ遊技機にパチンコ球が供給できるようになっている。また、列設されるパチンコ遊技機の下方に、設置島本体の両端側から球研磨装置に向かって下傾し各パチンコ遊技機から排出されたパチンコ球を回収する回収球樋が配設される。更に、隣接するパチンコ遊技機設置島間には補給タンク間に、相互にパチンコ球を補給できる島間補給樋が差し渡される。前記揚送樋は一条の真直ぐな弾球通路を同一平面に沿って複数条並設して帯板状に形成され、揚送装置から起立すると共に補給タンクにその幅広面が設置島本体の長手方向と平行となるようにして接続されている（例えば、特許文献１参照。）。
【０００４】
ところで、フロアー面積が広く余裕のあるパチンコホールにあっては、パチンコ遊技機設置島の長手方向に沿った長さが長い・短いといったところまで気を使う必要はないかもしれないが、例えば、フロアー面積が狭く余裕のないパチンコホールにあっては、そのフロアー面積が狭いが故にパチンコ遊技機設置島の長さにも気を使う必要性が生ずる。すなわち、各パチンコ遊技機設置島の長手方向において、隣接するパチンコ遊技機間の間隔寸法もできるだけ狭いことが望まれる。また一般に、パチンコ遊技機設置島における球貸機を含めた隣接する各パチンコ遊技機間の間隔は、前記揚送樋の配設される中央部を除き全て同じ一定寸法に設定されている。
【先行技術文献】
【特許文献】
【０００５】
【特許文献１】特開２００２−２７３０１８号公報（第２−３頁、図１、図２）
【発明の概要】
【発明が解決しようとする課題】
【０００６】
前記特許文献１に係るパチンコ遊技機設置島にあっては、揚送樋の前記幅広面が設置島本体の長手方向と平行になるように配置され、しかも、揚送樋の幅広面の幅寸法は設置島本体の長手方向に沿ったパチンコ遊技機間の間隔よりも広い。また、パチンコ遊技機設置島内は非常に狭く、背面同士が向かい合うパチンコ遊技機間に揚送樋を起立して配設させるに苦労している。実際には、設置島本体の長手方向でのパチンコ遊技機とこれと隣接するパチンコ遊技機との間に揚送樋が位置するので、設置島本体の長手方向での両パチンコ遊技機間の間隔は、その分他の部位のパチンコ遊技機間の間隔とは異なり広くなる。正確には、設置島本体の長手方向で、該設置島本体の中央部におけるパチンコ遊技機に付設される球貸機とこれに隣接する他のパチンコ遊技機との間の寸法が、他の部位の寸法よりも前記揚送樋の幅広面の幅寸法分広くなる。このため、パチンコ遊技機設置島の長手方向での長さもその分長くなり、前記のようにフロアー面積に余裕のないパチンコホールでの要請に反することになる。ところで、設置島本体の長手方向での前記各パチンコ遊技機に付設される球貸機とこれに隣接する他のパチンコ遊技機との間の寸法を、設置島本体の長手方向に沿った揚送樋の厚み寸法と一致させたとき、パチンコ遊技機設置島の長手方向での全体の長さが最も短く設定されることになる。
【０００７】
また、設置島本体の長手方向における一部のパチンコ遊技機間の寸法が他のパチンコ遊技機間の寸法と異なり広くなっていると、外観的に統一性がとれず見栄えも悪くなる。これに対し、パチンコ遊技機設置島の見栄えを良くすべく、他のパチンコ遊技機間の寸法も揚送樋の幅広面の幅と同じ寸法に広げて合わせると、最終的にパチンコ遊技機設置島の長手方向に沿った長さが更に伸びてしまい、パチンコホールのフロアー面上の問題が浮かび上がることになる。このように、パチンコ遊技機設置島にあっては改良すべき点が残されていた。
【０００８】
そこで、本発明は上記改良点に鑑みてなされたものであり、フロアー面積の余裕のないパチンコホールの要請に応えることができるばかりか、外観的にも統一がとれ見栄えの良い弾球遊技機設置島を提供することを目的とするものである。
【課題を解決するための手段】
【０００９】
かかる目的を達成するため、本発明に係る弾球遊技機設置島は、設置島本体の長手方向に沿って弾球遊技機と該弾球遊技機を正面から見てその左側面に接するように付設される台間サンドとが列設され、前記設置島本体における長手方向の中央部の上部に前記各弾球遊技機に弾球を配給するための補給タンクが配設され、前記設置島本体における長手方向の中央部の下部に起立して前記補給タンクに接続される揚送樋を介し該補給タンクに弾球を供給する揚送装置が配設された弾球遊技機設置島であって、
前記揚送樋は、一条の弾球通路を同一平面に沿って複数条並設して帯板状に形成され、その幅広面が前記設置島本体の長手方向に対し直交状に配置され、前記各弾球遊技機に付設される前記台間サンドとこれに隣接する他の弾球遊技機との間の隙間寸法が前記揚送樋における前記設置島本体の長手方向に沿った幅寸法と一致し、前記揚送樋が前記台間サンドとこれに隣接する他の弾球遊技機との間の隙間に合致して収まるようにしたことを特徴とする。
【００１０】
この際、前記補給タンクにおける前記設置島本体の短手方向での一側面に前記揚送樋が水平方向から介入される平面コ字型の縦溝を凹設し、前記縦溝における前記設置島本体の長手方向に沿った内幅寸法が前記揚送樋における前記設置島本体の長手方向に沿った幅寸法と前記球貸機における前記設置島本体の長手方向に沿った幅寸法とを加えた値以上の寸法に設定されていることが好ましい。
【発明の効果】
【００１１】
本発明に係る弾球遊技機設置島は、揚送樋が一条の弾球通路を同一平面に沿って複数条並設して帯板状に形成され、その幅広面が設置島本体の長手方向に対し直交状に配置され、各弾球遊技機に付設される台間サンドとこれに隣接する他の弾球遊技機との間の隙間寸法が揚送樋における設置島本体の長手方向に沿った幅寸法と一致するようにしている。これにより、揚送樋が台間サンドとこれに隣接する他の弾球遊技機との間の隙間に合致し、余分なスペースを必要としない。よって、各台間サンドとこれに隣接する他の弾球遊技機との間の隙間をすべて前記のように同じ間隔にすれば、それら弾球遊技機と台間サンドとの間の余分な隙間がなくなり、弾球遊技機設置島の全体長さを極力短くでき、フロアー面積の余裕のないパチンコホールの要請に十分に応えることができる。また、各設置島にあって、各パチンコ遊技機に付設される台間サンドとこれに隣接する他のパチンコ遊技機との間の隙間がすべて同じ寸法に設定されることから、外観的に統一が取れ見栄えも良いという効果を奏する。
【００１２】
この際、前記補給タンクにおける前記設置島本体の短手方向での一側面に前記揚送樋が水平方向から介入される平面コ字型の縦溝を凹設し、前記縦溝における前記設置島本体の長手方向に沿った内幅寸法が前記揚送樋における前記設置島本体の長手方向に沿った幅寸法と球貸機における設置島本体の長手方向に沿った幅寸法とを加えた値以上の寸法に設定される。これにより、各設置島本体における補給タンクがすべて同じ位置に取り付けられることになり、例えば、パチンコホールにあって壁に沿って配設される弾球遊技機設置島とこれと隣接する弾球遊技機設置島間においても、それら補給タンク間に差し渡され互いの弾球遊技機設置島間で弾球を補給するための島間補給樋が、平面的に見て弾球遊技機設置島の長手方向に対して直交する線に沿って配置され、補給タンクの取付位置がずれたりして斜めに配置されることはない。よって、他の島間補給樋と合わせ全体に島間補給樋が平面的に見て一直線状に配置できることから、島間補給樋の外観上の見栄えも良い。
【図面の簡単な説明】
【００１３】
【図１】本発明に係る二組の弾球遊技機設置島の平面図。
【図２】弾球遊技機設置島の正面図。
【図３】弾球遊技機設置島の正面断面図。
【図４】一組の弾球遊技機設置島の一部拡大平面図。
【図５】他の実施の形態に係る一組の弾球遊技機設置島の一部拡大平面図。
【図６】（イ）は補給タンクの概略斜視図、（ロ）は補給タンクの概略分解斜視図。
【発明を実施するための形態】
【００１４】
以下、本発明に係る弾球遊技機設置島を実施するための最良の形態について詳しく説明する。図１は本発明に係る二組の弾球遊技機設置島の平面図、図２は弾球遊技機設置島の正面図、図３は弾球遊技機設置島の正面断面図である。弾球遊技機には、例えばパチンコ遊技機、雀球遊技機、アレンジボール遊技機などの遊技機があるが、本発明ではその一例としてパチンコ遊技機について説明する。よって、以下にパチンコ遊技機設置島（以下、単に「設置島」という。）について説明する。
【００１５】
図１に示すようにパチンコホールＨに、四つの設置島１ａ，１ｂ，１ｃ，１ｄが平行かつ等間隔に据置されている。この内、各設置島１ａ，１ｂ，１ｃ，１ｄはいずれも同じ構成からなるので、便宜上、一つの設置島１ａについて説明する。該設置島１ａには、設置島本体２ａの両側面にその長手方向に沿って弾球遊技機であるパチンコ遊技機３が等間隔に列設されている。後記するパチンコホールＨの壁Ｗに接する設置島１ｆにあっては、その片側面のみにパチンコ遊技機３が列設されることになる。各パチンコ遊技機３には、それぞれ遊技者が遊技をするため遊技媒体としての弾球であるパチンコ球を貸し出す球貸機４（所謂「台間サンド」と称されている。）がその一側に付設される。各球貸機４は縦長箱状に形成され、パチンコ遊技機３には該パチンコ遊技機３を正面から見て常にその左側面に接触するようにして直交状に配置される。
【００１６】
前記設置島１ａにあっては、その両側面における長手方向に沿った各パチンコ遊技機３の設置位置がすべて同じであり、各パチンコ遊技機３がすべて等間隔に配設され、各パチンコ遊技機３に付設される球貸機４とこれに隣接する他のパチンコ遊技機３とは一定の隙間Ｓを離して配設される。そこで、該隙間Ｓの寸法が短ければ短いほど、設置島１ａの長手方向での全体の長さが短くなる。また、設置島１ａにあって前記隙間Ｓがすべて同じ寸法であれば、設置島１ａが外観的に統一が取れて見栄えも良くなる。
【００１７】
前記設置島本体２ａ内における長手方向の中央部の上部に各パチンコ遊技機３にパチンコ球を配給するための補給タンク５が配設され、中央部の下部に各パチンコ遊技機３にパチンコ球を循環補給するための補給装置６が配設される。そこで、図２、図３に基づき補給タンク５及び補給装置６を説明する。該補給装置６は、設置島本体２ａの下部に配置され循環するパチンコ球を研磨する球研磨装置７と、研磨屑などの異物を除去する異物除去装置８と、研磨されたパチンコ球を揚送樋９を介して設置島本体２ａの上部に配設された補給タンク５に揚送する揚送装置１０と、から概ね構成されている。
【００１８】
前記中央の補給タンク５から設置島本体２ａの長手方向に沿った両端側に、緩やかに下傾する補給球樋１１，１１が配設され、該各補給球樋１１を介して各パチンコ遊技機３にパチンコ球が供給できるようになっている。また、列設されるパチンコ遊技機３の下方に、前記中央部の球研磨装置７に向かって下傾し、各パチンコ遊技機３から排出されるパチンコ球を回収する回収球樋１２，１２が配設されている。更に、隣り合う各設置島本体２ａ，２ｂ，２ｃ，２ｄの補給タンク５，５間には、各設置島１ａ，１ｂ，１ｃ，１ｄにパチンコ球が相互に補給できるように島間補給樋１３が差し渡されている。
【００１９】
前記各補給タンク５及び揚送樋９は、いずれの設置島１ａ，１ｂ，１ｃ，１ｄにあっても同じ構成であるので、そのうち初めの設置島１ａについて説明する。補給タンク５は、設置島本体２ａの長手方向に沿って長い直方体形状に形成され、該補給タンク５における短手方向の一側面５ａの中間位置（接続位置）に、図６（イ）（ロ）に示すように上下両端面が開放されその中心軸線に直交する断面がコ字型をなす縦溝１４が形成されている。該縦溝１４の上部は所定の寸法切り欠かれ、水平段部１５が設けられる。この縦溝１４内には、前記揚送樋９が介入して配置される。このため、前記水平段部１５の上面に、保持板１６が載置され固定される。該保持板１６は前記水平段部１５より一回り大きい略方形状の平板からなり、その一側に揚送樋９が挿通される細長状の支持溝１７が凹設されている。そこで、水平段部１５の上面に保持板１６を載せた状態では、揚送樋９の上端開口が該保持板１６より上方に位置する。１８は縦溝１４内に揚送樋９を配置した状態で、その縦溝１４を塞ぐカバーである。該縦溝１４における設置島本体２ａの長手方向の内幅寸法Ｌ４は、後記するように揚送樋９と球貸機４との互いに設置島本体２ａの長手方向に沿った幅寸法Ｌ１，Ｌ２を加えた値以上の寸法に設定される。本実施の形態にあっては、該縦溝１４における設置島本体２ａの長手方向の内幅寸法Ｌ４が、揚送樋９と球貸機４との互いに設置島本体２ａの長手方向に沿った幅寸法Ｌ１，Ｌ２を加えた値より少し広く設定される。
【００２０】
該揚送樋９は、パチンコ球の流れる方向に対して直交する断面形状が一個のパチンコ球を通過させ得る程度の広さを有する一条の球通路を同一平面に沿って複数条並設して形成され、外観は帯板状に形成されている。そして、その幅広面９ａが前記設置島本体２ａの長手方向に対して直交し、かつ、幅狭面９ｂが設置島本体２ａの長手方向でパチンコ遊技機３に付設される球貸機４とこれに隣接する他のパチンコ遊技機３との間の隙間Ｓに合致するように位置して縦溝１４内に配置される。各設置島１ａ，１ｂ，１ｃ，１ｄ内は背面を向かい合わせた各パチンコ遊技機３間が狭く、揚送樋９や揚送装置１０は狭い個所に配設されている。よって、特に揚送樋９は、球貸機４近傍の隙間Ｓ部位に配設されることになる。
【００２１】
そこで設置島１ａにあっては、揚送装置１０によって揚送樋９内を揚送されるパチンコ球がその上端開口から補給タンク５内に排出され貯留される。そして、該補給タンク５内に貯留されたパチンコ球は、補給球樋１１へ流出すると共に設置島本体２ａの両端部側へ流れ各パチンコ遊技機３に供給される。一方、各パチンコ遊技機３から排出されるパチンコ球は、その下方の回収球樋１２に落下して球研磨装置７に集められる。集められたパチンコ球は、球研磨装置７によって研磨されると共に異物除去装置８を介して揚送装置１０に送り込まれる。送り込まれたパチンコ球は、揚送樋９を介して再び補給タンク５に貯留されることになる。また、隣接する設置島１ｂからパチンコ球の補給要求があった場合は、補給タンク５の一側に接続された島間補給樋１３を介してその隣接する設置島１ｂにパチンコ球が補給されることになる。
【００２２】
一組の設置島本体２ａ，２ｂにおける対向して向き合う側面にあっては、図４に示すように互いに各パチンコ遊技機３の位置関係が同一であり、各パチンコ遊技機３に付設される球貸機４とこれに隣接する他のパチンコ遊技機３との間の隙間Ｓの隙間寸法Ｌ３も同じ寸法に設定されている。いずれの設置島本体２ａ，２ｂにあっても、揚送樋９が縦溝１４内に配置され、平面的に見て設置島本体２ａの中央部に位置するパチンコ遊技機３に付設された球貸機４における設置島本体２ａの長手方向に対し直交する一側面４ａに接するように位置し、かつ、隣接する他のパチンコ遊技機３との間の隙間Ｓに合致するようにして配置される。そこで、揚送樋９の幅狭面９ｂの幅寸法Ｌ１と、前記球貸機４における設置島本体２ａの長手方向に沿った幅寸法Ｌ２と、該球貸機４に隣接するパチンコ遊技機３との間の隙間Ｓの隙間寸法Ｌ３と、はいずれも同じ寸法になっている。よって、両設置島１ａ，１ｂにあっては、各パチンコ遊技機３に付設される球貸機４とこれに隣接する他のパチンコ遊技機３との間に余分な隙間がなくなる。しかも、パチンコ遊技機３に付設される球貸機４とこれに隣接する他のパチンコ遊技機３との間の隙間Ｓの隙間寸法Ｌ３はすべて同じ寸法になることから、設置島１ａ，１ｂの全体の長さを極力短くできるばかりか、設置島１ａ，１ｂは外観的に統一が取れ見栄えも良い。他の組の設置島１ｂ，１ｃ、設置島１ｃ，１ｄについても同様である。
【００２３】
図５は他の実施の形態に係る一組の弾球遊技機設置島の一部拡大平面図であり、図４に示す一組の設置島と比較して次の点が異なる。すなわち、一組の設置島１ｅ，１ｆのうち一方の設置島１ｆが、パチンコホールの壁面Ｗに接っするようにして配設されている。この場合は、壁Ｗに接する設置島本体２ｆにあって、補給タンク５における短手方向の他側面５ｂすなわち隣接する設置島本体２ｅの補給タンク５と対向する面に開口が向き合うようにして縦溝１４が形成されることになる。これら縦溝１４，１４は各設置島本体２ｅ，２ｆの長手方向に沿って中間位置であり互いに合致する。このように、一方の設置島本体２ｆにおける縦溝１４の開口を壁Ｗとは反対側に設けたのは、メンテナンスのため補給装置６を設置島本体２ｆから外へ引き出すことができるようにするためである。
【００２４】
ところで、パチンコ遊技機３の向かって左側に球貸機４が付設される関係から、一方の設置島１ｆの一側面と他方の設置島１ｅであってその一方の設置島１ｆの一側面と対向する一側面、及び他方の設置島１ｅにおける両側面では、それら設置島１ｅ，１ｆの長手方向に沿った各球貸機４の取付位置がそれぞれ該球貸機４の幅寸法Ｌ２分ずれる。しかし、補給タンク５における縦溝１４は、設置島本体２ｅ，２ｆの長手方向に沿った内幅寸法Ｌ４が揚送樋９の狭幅面９ｂの幅寸法Ｌ１と、球貸機４における設置島本体１ｅの長手方向に沿った幅寸法Ｌ２と、を加えた値以上の寸法に設定されるので、両設置島本体２ｅ，２ｆの補給タンク５，５にあっては、平面的に見て縦溝１４内にそれぞれ揚送樋９が設置島本体２ｅ，２ｆの長手方向で位置を違えて設けることができ、設置島本体２ｅ，２ｆに対する補給タンク５の取付位置が変わることがない。この際、空いた空間に球貸機４が位置することになる。よって、隣接する設置島１ｅ，１ｆ間であっても、補給タンク５，５間に架設される島間補給樋１３が設置島本体２ｅ，２ｆの長手方向に対して傾くといったことがない。これが例えば隣り合う設置島本体２ｅ，２ｆで各補給タンク５の位置がずれていると、島間補給樋１３が平面的に見て設置島本体２ｅ，２ｆの長手方向に対して直交せずに斜めに傾斜することになる。これでは、外観状、美観を損ねることになる。
【００２５】
また、前記壁Ｗ側の設置島１ｆとそれに隣接する設置島１ｅと同様に、例えば一組の隣接する設置島１ａ，１ｂにあって、それら設置島１ａ，１ｂから補給装置６を外へ引き出し球研磨装置７や揚送装置１０をメンテナンスするに、その作業性の良さから設置島１ａ，１ｂの互いに向かい合う側面から補給装置６を取り出せるようにすることがある。この場合も前記と同様に、各補給タンク５に接続される各揚送樋９が、両補給タンク５，５の互いに向かい合う面５ａ，５ｂに寄せて配設される。そして、両設置島１ａ，１ｂの向かい合う両側面では、各球貸機４の位置がそれぞれパチンコ遊技機３の左右逆になるので、一方の設置島１ａ側の各球貸機４と他方の設置島１ｂ側の各球貸機４とは、設置島１ａ，１ｂにおける長手方向に沿った位置が各球貸機４の厚み幅寸法Ｌ２分ずれる。換言すれば、一方の設置島１ａ側の各球貸機４とこれと向かい合う他方の設置島１ｂ側の各球貸機４とは、隙間Ｓの隙間寸法Ｌ３分ずれる。しかし、前記説明の通り、両設置島本体２ａ，２ｂの補給タンク５，５にあっては、平面的に見て縦溝１４内にそれぞれ揚送樋９が設置島本体２ａ，２ｂの長手方向で位置を違えて設けられることになるので、設置島本体２ａ，２ｂに対する補給タンク５の取付位置が変わることがない。これにより、島間補給樋１３が設置島本体２ａ，２ｂの長手方向に対して直交するように配設される。
【００２６】
このように、本発明は揚送樋９が一条の弾球通路を同一平面に沿って複数条並設して帯板状に形成され、その幅広面９ａが設置島本体２ａ，２ｂ，２ｃ，２ｄの長手方向に対し直交状に配置され、各パチンコ遊技機３に付設される球貸機４とこれに隣接する他のパチンコ遊技機３との間の隙間Ｓの隙間寸法Ｌ３が揚送樋９における設置島本体２ａ，２ｂ，２ｃ，２ｄの長手方向に沿った幅寸法Ｌ１と一致するようにしている。これにより、揚送樋９が球貸機４とこれに隣接する他のパチンコ遊技機３との間の隙間Ｓに収まり、余分なスペースを必要としない。よって、各球貸機４とこれに隣接する他のパチンコ遊技機３との間の隙間Ｓをすべて前記のように同じ間隔にすれば、それらパチンコ遊技機３と球貸機４との間の余分な隙間がなくなり、設置島１ａ，１ｂ，１ｃ，１ｄの全体長さを極力短くでき、フロアー面積の余裕のないパチンコホールの要請に十分に応えることができる。また、各設置島１ａ，１ｂ，１ｃ，１ｄにあって、各パチンコ遊技機３に付設される球貸機４とこれに隣接する他のパチンコ遊技機３との間の隙間Ｓがすべて同じ寸法に設定されることから、外観的に統一が取れ見栄えも良い。
【符号の説明】
【００２７】
１ａ                設置島
１ｂ                設置島
１ｃ                設置島
１ｄ                設置島
１ｅ                設置島
１ｆ                設置島
２ａ                設置島本体
２ｂ                設置島本体
２ｃ                設置島本体
２ｄ                設置島本体
２ｅ                設置島本体
２ｆ                設置島本体
３                  弾球遊技機（パチンコ遊技機）
４                  球貸機
５                  補給タンク
９                  揚送樋
９ａ                幅広面
９ｂ                幅狭面
１０                揚送装置
Ｓ                  隙間
【図１】
0005400935.tif 000002
【図２】
0005400935.tif 000003
【図３】
0005400935.tif 000004
【図４】
0005400935.tif 000005
【図５】
0005400935.tif 000006
【図６】
0005400935.tif 000007